(57)【要約】【課題】観音開き状の一対のドアを備えた冷蔵庫において、ドア開放力を増加させずに両ドア間の隙間を封止できるドアシール構造を提供する。【解決手段】両ドア９の揺動中心軸２０を結ぶＹ面に対して、両ドア先端を封鎖面Ｗで封止する縦シール部１２をドア開放方向に正の距離で設定し、該縦シール部１２の開放動作軌跡が封鎖面Ｗにたいして開動初期より斬次隔離してゆく構造とした。【選択図】  図１
2004169987.tif 000002
【特許請求の範囲】
【請求項１】
観音開きの一対のドアを備えた冷蔵庫において、前記一対のドアに４辺が接続されたドアパッキンを有し、該両ドアパッキンの縦シール部同士が、各ドアの閉鎖時に互いに密着して出入口の開口部を封鎖面で封鎖するように設置し、各ドアの開動時には該縦シール部の開放動作軌跡が、封鎖面に対して、開動初期より斬次隔離する冷蔵庫。
【請求項２】
請求項１において、ドアパッキンの縦シール部が、ドアの揺動中心軸に対して、ドア開放方向に設置し、閉ドア時における各ドアの揺動中心軸を結ぶＹ面と該縦シール部とのドア開放方向の距離Ｌ３を正とした冷蔵庫。
【請求項３】
請求項１において、ドア間の隙間を封止するドアパッキンの縦シール部の断面形状外形と、その他３辺を封鎖する縁シール部の断面形状外形を同一にして、ドアパッキンの４辺の溶着を可能にした冷蔵庫。
【請求項４】
請求項１において、ドア揺動中心軸側の辺が密着封止する箱体シール面を、ドアの揺動中心軸を結ぶＹ面に対して、傾斜させることにより、ドア開閉時のドアパッキン捩じれを防止した冷蔵庫。
【請求項５】
請求項１において、各ドアにドアパッキンを装着し、各ドアの揺動中心軸と箱体側の固定ヒンジとの間に可動ヒンジを有し、該可動ヒンジにバネ嵌合軸を設置し、該バネ嵌合軸と着脱可能に嵌合するバネを両ドアに設置したことにより、ドア開放角度の小さいうちは、固定ヒンジのヒンジ軸を中心に回動し、ドア開放角度が大きくなって可動ヒンジの凸部が固定ヒンジの凸部に当接すると、その反作用でバネとバネ嵌合軸の嵌合が外れて、ドアはヒンジ軸を中心に回動する冷蔵庫。
【発明の詳細な説明】
【０００１】
【発明の属する技術分野】
本発明は、冷蔵庫に関し、観音開き状の一対のドアを備えた冷蔵庫において、ドアの揺動先端側を受け止める箱体に固定された支柱を省略して、隣接するドア間の隙間を各ドアに設けたシール体で封止する形態がある。本発明は、この種の箱体に固定された支柱を省略した冷蔵庫に関する。
【０００２】
【従来の技術】
かかる冷蔵庫のドアシール構造として多数提案されており、特開２０００−５５５３４号公報はその一例である。そこでは、第一・第二扉の内周縁に装着されたガスッケトと、第一の扉に回動自在に取り付けられた仕切体とを有し、該仕切体と磁性体を内蔵する前記ガスケットとを当接密着することにより開口を封止している。また該仕切体の上縁部にガイド溝を設置し、該ガイド溝と相対的に摺動するガイドピンを箱体開口上縁部に設置して、仕切体の回動を円滑に行っている。
【０００３】
また、磁石内蔵のパッキング同士をその吸着力を利用して開口を封止するものとしても多数提案されており、特開平１１−３４４２８５号公報はその一例である。そこでは、隣接するドアの内面四周縁にドアパッキンを装着し、該ドアパッキンを内包する状態で縦長の中空プラスチック製シール枠を有する。シール枠には第１シールと第２シールが設置され、第１シール内には、一対のドアを閉じた状態において、お互いに吸着し合う磁石が設定してあり、両磁石どうしが吸着し合う領域を狭い範囲内に限定することにより、対向するシール条材が内外にずれた状態で定着するのを防止している。
【０００４】
また、出入口に臨む庫内の天井壁と、出入口を揺動開閉する一対のドア上端にドアキャッチを配設して、長期使用時にも各ドアを確実に閉止保持できるようにしている。
【０００５】
【特許文献１】
特開２０００−５５５３４号公報
【特許文献２】
特開平１１−３４４２８５号公報
【０００６】
【発明が解決しようとする課題】
上記特開２０００−５５５３４号公報のように、第一の扉に回動自在に取り付けられた仕切体と磁性体を内蔵するガスケットとを当接密着することにより開口を封止し、該仕切体の上縁部に設置したガイド溝と相対的に摺動するガイドピンを箱体開口上縁部に設置する方法は、冷蔵庫のドアを開けるときには仕切体と磁性体を内蔵するガスケットとの当接密着を離間する力を必要とし、更に、ガイド溝と相対的に摺動するガイドピンの摺動抵抗にも打ち勝つ力を必要とするので、冷蔵庫のドアを開閉する力が大きくなってしまう。
【０００７】
また、特開平１１−３４４２８５号公報のような、第１シール部どうしで封止させる方法に於いても、後述するように、ドア開閉の為のギャップが大きくなるので、磁石の吸引力を大きくせざるを得ない。従ってドアを開放する場合の磁石どうしの引き離し力も大きくなってしまう為、冷蔵庫のドアを開閉する力が大きくなってしまう。更に、各ドアはドアキャッチにより閉止保持されているので、ドア開放力は、ドアキャッチを引き離す分だけ更に大きくなり開閉する者の負荷は更に増大してしまう。
【０００８】
また、特開２０００−５５５３４号公報のように、各ドア間をシールする仕切体を扉に回動自在に取付け、かつ、ガイドピンを箱体開口上縁部に設置する方法は、構造が複雑となり製造工程上、また製造原価上非常に不利であり、しかも長期使用時における構造寿
命にも問題を有する。
【０００９】
また、上記特開平１１−３４４２８５号公報の例では、各ドアの内面四周縁に設置するドアパッキンの他に、縦長のシール枠やパッキン状の第１シール・第２シール及び箱体の庫内天井壁に設置したドアキャッチ等の複数の構成部品が必要となるので製造工程上非常に不利であり長期使用時における構造寿命にも問題を有する。
【００１０】
【課題を解決するための手段】
本発明の冷蔵庫は図１、図２、図４から図１１に示すように、観音開き状の一対のドア９を備え、該両ドア９に４辺が接続されたドアパッキン１１を有し、該両ドアパッキン１１の縦シール部１２どうしが、各ドアの閉鎖時に互いに密着して出入口２の開口部を封鎖面Ｗで封鎖するように設置し、各ドアの開動時には該縦シール部１２の開放動作軌跡が、封鎖面Ｗに対して、開動初期より斬次隔離してゆく構成とし、ドアの揺動中心軸２０に対して、ドアパッキンの縦シール部１２を、ドア開放方向に設置し、閉ドア時における各ドアの揺動中心軸２０を結ぶＹ面と該縦シール部１２とのドア開放方向の距離Ｌ３を正に設定する。
【００１１】
ドアパッキンの縦シール部１２の断面形状外形と、その他３辺を封鎖する縁シール部１６の断面形状外形を同一にして、ドアパッキンの４辺の溶着を可能にし、ドアの揺動中心軸側の辺が密着封止する箱体シール面を、ドアの揺動中心軸２０を結ぶＹ面に対して、傾斜させることにより、ドア開閉時のドアパッキン捩じれを防止する。
【００１２】
各ドアの揺動中心軸３２と箱体側の固定ヒンジ２６との間に可動ヒンジ２９を有し、該可動ヒンジにバネ嵌合軸３３を設置し、該バネ嵌合軸３３と着脱可能に嵌合するバネ３４を両ドアに設置したことにより、ドア開放角度の小さいうちは、固定ヒンジのヒンジ軸３０を中心に回動し、ドア開放角度が大きくなって可動ヒンジの凸部２９ａが固定ヒンジの凸部２６ａに当接すると、その反作用でバネ３４とバネ嵌合軸３３の嵌合が外れて、ドアはヒンジ軸３２を中心に回動するようにした。
【００１３】
【発明の実施の形態】
本発明の一実施例を示す図１〜図２及び動作説明図である図４（ａ）（ｂ）及び従来例の動作説明図である図３（ａ）（ｂ）を例にとって説明する。
【００１４】
冷蔵庫箱体１の出入り口２を開閉可能に封止する観音開き状の一対のドア９を備え、該両ドア９に４辺が接続されたドアパッキン１１を装着している。該両ドアパッキン１１は、その一辺に、閉ドア時に両ドア間を封鎖面Ｗで封鎖する縦シール部１２を一体に有し、該縦シール部１２以外の３辺には、出入り口２の箱体開口シール面６を開閉可能に封止する縁シール部１６を一体に有している。該縦シール部１２と縁シール部１６はその断面形状外形を同一として、縦シール部１２と縁シール部１６の各辺がその隅部において一体溶着可能な形状にしてある。
【００１５】
該縦シール部１２は、図１に示すように両ドア９の回転中心軸２０同士を結んだＹ面に対して、ドアの開放方向に正の距離Ｌ３に設置することにより、図４（ａ）（ｂ）に示すように、該縦シール部１２同士の開放動作軌跡が、封鎖面Ｗに対してドア開放初期から斬次隔離するようにしている。
【００１６】
１３は縦シール部１２内に内蔵された磁石であり、相対する縦シール部１２同士のドア閉鎖瞬間の隙間δ５を、該磁石１３どうしの吸引力により、かつ、可撓性を有する可撓支持部１４の撓みを利用する事により、図４（ｂ）の隙間δ８＝零と成るように剥離可能に密着させている。
【００１７】
本発明の縦シール部１２内に内蔵した磁石１３の吸引力は、従来のパッキン内に内蔵された磁石より、後述するように５割程度着磁力を少なくできるので、その分ドア開放力を小さくできる。
【００１８】
箱体１のシール面６は、前記ドアパッキン１１の３辺を一体に構成する縁シール部１６が、中心軸２０を中心にしてドアと一体に開閉するときにも該縁シール部に内蔵された磁石１７が捩じられないように、かつ該磁石１７の可撓支持部１８に過大な捩じり力が加わらないように、各ドアの揺動中心軸２０を結んだＹ面にたいして傾斜Θ３を有している。
【００１９】
７および８は上ヒンジおよび下ヒンジであり、該ヒンジのドア側には、前記の揺動中心軸２０が設置されており、前記のドア９を箱体１の前面開口出入口２を回動可能に閉鎖できるように支持している。１０はドア９を開閉するためのハンドル、４は箱体１内に設置された露つき防止の熱パイプである。
【００２０】
本発明の縦シール部１２内に内蔵した磁石１３の吸引力を小さく出来る理由を、従来例の動作説明図である３（ａ）（ｂ）を例にとって説明する。
【００２１】
従来例たとえば特開平１１−３４４２８５号公報の磁石内蔵型第一シール部の封止部を５０として、その揺動中心軸を５１とした時、ドア閉鎖瞬間の状態は図３（ａ）のように各ドアに設置された第一シール部の封止部５０どうしは隙間δ１だけ離れている。
【００２２】
このδ１は次の瞬間に封止部に内蔵された磁石の吸引力により図３（ｂ）のように隙間δ４＝零となるように構成されている。従って、封止部に内蔵された磁石の吸引力は、隙間δ１だけ離れた第一シール部の封止部５０どうしを、それ自身の磁力に拠って吸引できる大きさを必要とする。
【００２３】
実際の冷蔵庫における隙間は、図３のように冷蔵庫の設計製造組み立て誤差上必要な隙間δ２を設けるのが通常である。従って隙間δ３は図３のように封止部５０が揺動中心軸５１よりＬ１だけドア開放方向と逆の方向にある為、ドアの開閉動作軌跡により磁石の幅の最初と最後の開閉動作軌跡差δ１と、一方の封止部開閉動作軌跡Ｇ１と，もう一方の閉ドア状態の封止部５０との設計製造組立誤差上必要な隙間δ２との合計である。
【００２４】
従って、隙間δ３は通常２ｍｍから３ｍｍ程度と大きくなり、必要な第一シール部の封止部内に内蔵された磁石の吸引力は約１・０〜１．８Ｎ／２５ｍｍ幅と大きくなってしまう。
【００２５】
これに対して、本発明の隙間について説明すると、本発明をあらわす１例として、図４（ａ）（ｂ）にて示すと、ドアの揺動先端部に設置された縦シール部１２を閉ドア時に各ドアの揺動中心軸２０を互いに結ぶＹ面に対して、ドア開放方向に正の距離Ｌ３を設けてあるので、かつ、縦シール部１２の開放動作軌跡が、封鎖面Ｗに対して開動初期より斬次隔離してゆく構造としているので、つまり、閉ドア時には、閉ドア瞬間の寸前まで両ドア９に設置された該縦シール部１２どうしが離れているので、ドア閉鎖瞬間の状態は図４（ａ）のように各ドアに設置された縦シール部１２どうしの隙間はほとんど無い状態にできる。
【００２６】
従って、本発明の実際の冷蔵庫における隙間として、図４（ａ）に例示するように冷蔵庫の設計製造組み立て誤差上必要な隙間δ５を設けても該δ５より大きくなることは無い。
【００２７】
従って、本発明は冷蔵庫の設計製造組み立て誤差上必要な隙間を従来例の隙間δ２と同一としても（δ２＝δ５としても）従来例で示した隙間δ３より、ドアの開閉動作軌跡により磁石の幅の最初と最後の開閉動作軌跡差δ１だけ小さい隙間δ５にすることが出来る。隙間δ５は図４（ａ）に示すように揺動中心軸２０を中心にして回動する縦シール部１２の先端軌跡Ｇ３と、もう一方の閉ドア状態の縦シール部１２どうしの初期隙間δ７より、回動する縦シール部１２の先端軌跡Ｇ３の縦シール部１２内内蔵磁石の幅の最初と最後の軌跡差δ６をさし引いた分だけ小さくなるのである。従って本発明の隙間δ５は従来より３割程度小さくする事が出来るので、そのパッキン内蔵磁石の磁力を約５割程度小さく出来るのである。
【００２８】
一例として、設計製造組立誤差上必要な隙間を冷蔵庫幅寸法の約０．２パーセントと仮定して、冷蔵庫幅を約８００ｍｍ、図１０，図１１のＬ１を４５ｍｍ、Ｌ２を１０ｍｍと仮定し、Ｒ１を約４００ｍｍと仮定すると、δ１＝１．０ｍｍ、δ２＝１．６ｍｍ、従って、δ３＝２．６ｍｍとなる。
【００２９】
一方、本発明による設計製造誤差上必要な隙間を、上記の前提と同じと仮定し、本発明例の図４（ａ）（ｂ）のＬ３をドア開放方向に３５ｍｍとしＬ２を１０ｍｍと仮定し，Ｒ２＝４００ｍｍと仮定すると、δ６＝１．０ｍｍ，δ５＝１．６ｍｍ（δ５＝δ２と仮定した）となる。
【００３０】
従って、磁石を内臓するパッキンの保持部肉厚を従来例も本発明も約０．５ｍｍと仮定すると、磁石の吸引力に関わる隙間は、従来例が約２．６プラス０．５プラス０．５となり合計約３．６ｍｍとなり、
本発明は約２．６ｍｍ（１．６プラス０．５プラス０．５）となり、従来例より約３割も小さくなる。
【００３１】
磁石の吸引力と隙間の関係は一般に知られているように
（吸引力）＝（係数）×（互いの磁気量）÷（隙間の二乗）
である。
【００３２】
従って、上記隙間の二乗に反比例するので、本発明で使用する磁石の吸引力を従来の約５割程度に小さく出来る。
【００３３】
また、図３に示すように、従来構造は封止部５０が揺動中心軸５１よりＬ１だけドア開放方向と逆の方向にある為、ドア閉鎖状態からドアを開放しようとすると、その初期に於いては両ドアの封止部５０同士が互いに圧着される（圧着代δ９）ような開放動作軌跡となるので、ドアの開放に対する抵抗力が発生する。
【００３４】
しかし、本発明は図４に一例を示すように縦シール部１２を閉ドア時に各ドアの揺動中心軸２０を互いに結ぶＹ面に対して、ドア開放方向に正の距離Ｌ３を設けてあるのでドアを開放しようとする、その初期に於いても両ドアの封止部１２同士が互いに圧着されるような事が無く、ドアの開放に対する抵抗力は発生しない。
【００３５】
従ってその分ドアの開放力を小さく出来るので、冷蔵庫のドアを開閉する子供や老人に対して非常に有利な構造となる。また、内蔵された磁石の吸引力を従来の約５割程度も小さく出来るので一方のドアを開けたときでも、閉じた状態のままであるべき他の一方のドアが、内蔵された磁石の吸引力に依って引きずられて開かないようにするための、従来例で言えば箱体側に設置するガイドピンあるいはドアキャッチを必要とせず、また、図１から図２に示すように、箱体前面の出入り口２を揺動開閉する一対のドア９には、その内面四周縁に一体のドアパッキン１１を設置し、該ドアパッキン１１の、ドアの揺動先端部側の辺には縦シール部１２を一体に設置し、その他３辺には箱体のシール面６を封止する縁シール部１６を一体に設置しているので、従来例のような、複数の部品からなる仕切本体、あるいは、第一シールや第二シールを設置した中空のプラスチック製シール枠等を必要とせずに構造が簡易にできるので製造組立工程上、また製造原価上非常に有利であり、かつ、構造が簡単なので長期使用にも十分耐える構造を提供できるのである。
【００３６】
本発明の他の一実施例を示す図５〜図６を例にとって説明する。図５〜図６において、前記の部品番号と同じ番号で示された部品は、前述の機能を有する部品である。ドア９の揺動中心軸２０に対して、ドアパッキンの揺動先端の縦シール部１２を、ドア開放方向に設置し、閉ドア時における各ドアの揺動中心軸２０を結ぶＹ面と該縦シール部１２とのドア開放方向の距離Ｌ５を大きくし、本発明の効果を最大に発揮し、かつ、冷蔵庫の利用できる実用内容積を最大にした例である。つまり、距離Ｌ５を本発明前例のＬ３より大きくし、冷蔵庫の実用内容積横断面の奥行きの約二分の一とした例である。図４（ｂ）に示すドア閉鎖時の縦シール部１２の開放動作軌跡Ｇ３の封鎖面Ｗに対しての接線角度Θ２と、前記縦シール部１２の内臓磁石どうしを引き離す力の関係は、図４（ｃ）に示す線Ａ−Ｃをドア閉鎖瞬間の縦シール部１２の開放動作軌跡Ｇ３の封鎖面Ｗに対しての接線とすると、線Ａ−Ｂがドアを開放する力に相当し、線Ｂ−Ｃが内臓磁石どうしを引き離す力に相当することは自明であり、また、冷蔵庫の利用できる実用内容積を最大にしつつ、内臓磁石どうしを引き離す力を、ドアを開放する力に対して効率良く大きくするには、封鎖面Ｗに対しての接線角度Θ２を約４５度にするのもまた自明である。従って、図５〜図６は接線角度Θ２を約４５度に設定した本発明の他の一実施例である。
【００３７】
また、接線角度Θ２を大きく設定すると、両ドアを同時に開放したときの冷蔵庫の熱漏洩も大きくなるので、両ドアの揺動先端に、前記縦シール部１２との間に断熱空間層２５を有してパッキン状の第二シール部２２を設置した例である。２３は第二シール部２２どうしを閉ドア時に密着させる磁石である。
【００３８】
さらに、本発明の他の一実施例を示す図７〜図１１を例にとって説明する。図７〜図１１において、前記の部品番号と同じ番号で示された部品は、前述と同じ機能を有する部品である。箱体の出入口２を揺動開閉する一対のドア９を有し、該両ドア９にドアパッキン１１を有し、該ドアパッキン１１が開閉可能に封鎖する箱体の出入口２の開口前面５を平面とした本発明の他の一実施例である。
【００３９】
箱体側面凹部１ａに、前記ドア９を回転支持可能な複数の固定ヒンジ２６を設置し、該固定ヒンジ２６とドア９の回転中心軸３２との間に可動ヒンジ２９を設置し、該可動ヒンジ２９のヒンジ軸３２と前記ドア９を回転可能に設置し、該ドア９の揺動中心軸３２近傍にバネ３４をビス３５で設置してある。
【００４０】
該バネ３４と着脱可能に嵌合するバネ嵌合軸３３を前記可動ヒンジ２９に設置し、該バネ嵌合軸３３と前記のバネ３４の嵌合強さを、後述する固定ヒンジ２６の凸部２６ａと可動ヒンジの凸部２９ａとの当接強さより、幾分弱くしてあり、その嵌合強さは、観音開きドアの片方のみ開放するとき、その初期においてはドア９と可動ヒンジ２９が一体となって同時に回転できる強さとし、かつ、回動するドアの縦シール部１２の内蔵磁石と、もう一方の閉ドア状態のドア側の縦シール部１２の内臓磁石との吸着力がほぼなくなる状態までドアが回動すると、バネ嵌合軸３３とバネ３４の嵌合力が、固定ヒンジの凸部２６ａと可動ヒンジの凸部２９ａとの当接強さに負けて、バネ嵌合軸３３とバネ３４の嵌合が分離する程度に設定してある。
【００４１】
したがって、ドア開放角度の小さいうちは、固定ヒンジのヒンジ軸３０を中心に、ドア９と可動ヒンジ２９が一体となって回動するので，各ドアの開動時には該縦シール部１２の開放動作軌跡が、封鎖面Ｗに対して、開動初期より斬次隔離してゆく構造となる。
【００４２】
３１は可動ヒンジが回動して、万一他の家具等に当接した場合でも該家具等を傷つけることのないように、可動ヒンジに設置された可撓性を有するゴム質部である。
【００４３】
【発明の効果】
本発明は、観音開き状の一対のドアを備え、該両ドアにドアパッキンを有し、該両ドアパッキンの縦シール部どうしが、各ドアの閉鎖時に互いに密着して開口部を封鎖し、各ドアの開動時には該縦シール部の開放動作軌跡が、封鎖面Ｗに対して、開動初期より斬次隔離してゆく構成とし、かつ、ドアの揺動中心軸に対して、ドアパッキンの縦シール部をドア開放方向に設置し、閉ドア時における各ドアの揺動中心軸を結ぶ面と該縦シール部とのドア開放方向の距離を正に設定しているので、縦シール部内に内臓した磁石の吸引力を小さくでき、ドアの開放力を小さく出来る。従って冷蔵庫のドアを開閉する力の弱い子供や老人に対して非常に有利な構造となる。
【００４４】
また、ドア揺動中心軸側の辺が密着封止する箱体シール面を、ドアの揺動中心軸を結ぶＹ面に対して、傾斜させることにより、ドア開閉時のドアパッキン捩じれを防止するとともに、ドアパッキンの縦シール部の断面形状外形と、その他３辺を封鎖する縁シール部の断面形状外形を同一にして、ドアパッキンの４辺の溶着を可能にしてあるので、従来例のような、複数の部品からなる仕切本体、あるいは、第一シールや第二シールを設置した中空のプラスチック製シール枠等を必要とせずに構造が簡易にできる。
【００４５】
また、内蔵された磁石の吸引力を従来よりも小さく出来るので一方のドアを開けたときでも、閉じた状態のままであるべき他の一方のドアが、内蔵された磁石の吸引力に依って引きずられて開かないようにするための、従来例で言えば箱体側に設置するガイドピンあるいはドアキャッチを必要とせずに構造が簡易にできるので製造組立工程上、また製造原価上非常に有利であり、かつ、構造が簡単なので長期使用にも十分耐える構造を提供できるのである。
【００４６】
また、  各ドアの揺動中心軸と箱体側の固定ヒンジとの間に可動ヒンジを有し、該可動ヒンジにバネ嵌合軸を設置し、該バネ嵌合軸と着脱可能に嵌合するバネを両ドアに設置したことにより、ドア開放角度の小さいうちは、固定ヒンジのヒンジ軸を中心に回動するので縦シール部内に内臓した磁石の吸引力を小さくでき、ドアの開放力を小さく出来る。
【図面の簡単な説明】
【図１】本発明の実施例の要部横断面図
【図２】本発明の実施例の冷蔵庫斜視図
【図３】従来例の動作説明図
【図４】本発明の動作説明図
【図５】本発明の実施例の要部横断面図
【図６】本発明の実施例の冷蔵庫斜視図
【図７】本発明の実施例の冷蔵庫ドアの断面図
【図８】本発明の実施例の冷蔵庫斜視図
【図９】本発明の実施例のドア開放動作説明図
【図１０】本発明の実施例のドア開放動作説明図
【図１１】本発明の実施例のドア開放動作説明図
【符号の説明】
２…冷蔵庫箱体の出入口、６…箱体のシール面、９…ドア、１１…ドアパッキン、１２…縦シール部、１６…縁シール部、２０…揺動中心軸、２６…固定ヒンジ、２７…バネ、２９…可動ヒンジ、３０…ヒンジ軸、３２…ヒンジ軸、３３…バネ嵌合、３４…バネ
【図１】
2004169987.tif 000003
【図２】
2004169987.tif 000004
【図３】
2004169987.tif 000005
【図４】
2004169987.tif 000006
【図５】
2004169987.tif 000007
【図６】
2004169987.tif 000008
【図７】
2004169987.tif 000009
【図８】
2004169987.tif 000010
【図９】
2004169987.tif 000011
【図１０】
2004169987.tif 000012
【図１１】
2004169987.tif 000013